(57)【特許請求の範囲】
【請求項１】
異なる発光色に対応した３種類の蛍光体と前記３種類の蛍光体を分離する障壁と前記各蛍光体を発色させるために面放電を行う表示電極対を配置したプラズマディスプレイパネルにおいて、
前記表示電極対を構成する第１及び第２の電極は、細い幅の突出部とその先端に太い幅の突出部を備え、
前記蛍光体の種類に応じて、前記蛍光体が配置されている放電空間を挟む障壁により規定される放電セル部の前記表示電極対の離間距離及び電極面積が異なることを特徴とするプラズマディスプレイパネル。
【請求項２】
前記蛍光体のうち、発色光の輝度が低い蛍光体が配置されている放電空間を挟む障壁により規定される放電セル部の前記表示電極対の電極面積が、前記発光色の輝度が低い蛍光体とは異なる蛍光体が配置されている放電空間を挟む障壁により規定される放電セル部の前記表示電極対の電極面積に比べて、大きいことを特徴とする請求項１記載のプラズマディスプレイパネル。
【請求項３】
赤色を発光する蛍光体が配置されている放電セル部における前記表示電極対の電極面積と緑色を発光する蛍光体が配置されている放電セル部における前記表示電極対の電極面積とが等しく、青色を発光する蛍光体が配置されている放電セル部における前記表示電極対の電極面積が他のものより大きいことを特徴とする請求項２記載のプラズマディスプレイパネル。
【請求項４】
赤色を発光する蛍光体が配置されている放電セル部における前記表示電極対の電極面積より、緑色を発光する蛍光体が配置されている放電セル部における前記表示電極対の電極面積が大きく、緑色を発光する蛍光体が配置されている放電セル部における前記表示電極対の電極面積より、青色を発光する蛍光体が配置されている放電セル部における前記表示電極対の電極面積が大きいことを特徴とする請求項２記載のプラズマディスプレイパネル。
【請求項５】
前記細い幅の突出部と太い幅の突出部が、前記第１及び第２の電極のそれぞれの両側に設けられてなることを特徴とする請求項１記載のプラズマディスプレイパネル。
【発明の詳細な説明】
【０００１】
【発明の属する技術分野】
本発明は、各種方式のプラズマディスプレイパネル（以下ＰＤＰ  と称す）に関するものであり、特に、カラー表示用ＰＤＰ  の表示電極の改良により白色の色温度の向上を行うのに好適な、プラズマディスプレイパネルに関するものである。
【０００２】
【従来の技術】
近年、各種ディスプレイ装置においては、表示すべき情報や設置条件の多様化、大画面化及び高精細化が著しい。従ってこれらに用いられるＰＤＰ  の、表示品質の向上が求められている。
上記の表示装置のうちＰＤＰ  は、画面のちらつきが無い、大画面化が容易である、高輝度及び長寿命等の優れた特徴を有することから、最近盛んに開発が行われている。ＰＤＰ  には、２  本の電極で選択放電（アドレス放電）及び維持放電を行う２電極型と、第３  の電極を利用してアドレス放電を行う３電極型がある。階調表示を行うカラーＰＤＰ  では、放電により発生する紫外線によって放電セル内に形成した蛍光体を励起しているが、この蛍光体は、放電により同時に発生する正電荷であるイオンの衝撃に弱いという欠点がある。上記の２  電極型では、蛍光体にイオンが直接当たるような構成になっているため、蛍光体の寿命低下を招く恐れがある。これを回避するために、カラーＰＤＰ  では、面放電を利用した３  電極構造が一般的に用いられている。さらに、この３  電極型構造においても第３  の電極を、維持放電を行う第１  と第２  の電極が配置されている基板に形成する場合と、上記基板に対向するもう一つの基板に配置する場合とがある。また、同一基板に前記の３  種の電極を形成する場合でも、維持放電を行う２  本の電極の上に第３  の電極を配置する場合と、その電極の下に第３  の電極を配置する場合とがある。更に、蛍光体から発せられた可視光を、その蛍光体を透過して見る場合（透過型）と蛍光体からの反射光を見る場合（反射型）とがある。また、放電を行うセルは、障壁（リブ、バリア）によって、隣接セルとの空間的な結合が断ち切られている。この障壁は、放電セルを取り囲むように四方に設けられ完全に密封されている場合と、一方向のみに設けられ、他方は電極間のギャップ（距離）の適正化によって結合が切られている場合等とがある。
【０００３】
図１  は、従来のＰＤＰ  について説明したものである。図示のＰＤＰ  は、維持放電を行う第１  の電極であるＸ  電極１０１  と第２  の電極であるＹ  電極１０２  〜１０６  が配置された基板と、その基板とは別の対向する基板に第３  の電極であるアドレス電極１０７  〜１１６  を配置したものである。また、障壁１１７  〜１２７  は、Ｘ  電極１０１  とＹ  電極１０２  〜１０６  に直交し、かつアドレス電極１０７  〜１１６  と平行な方向に沿って基板の面と垂直の方向に形成されている。更に、維持電極であるＸ  電極１０１  とＹ  電極１０２  〜１０６  の一部は透明電極であり、蛍光体からの反射光を見る反射型のＰＤＰ  である。
【０００４】
図２  は、図１  のＰＤＰ  のアドレス電極１０７  〜１１６  と平行な方向に沿った概略的な断面図である。ＰＤＰ  は、前面ガラス基板２０１  と背面ガラス基板２０２  の２  枚のガラス基板によって構成されている。前面ガラス基板２０１  には、維持電極であるＸ  電極とＹ  電極を備えている。Ｘ  電極は、透明電極２０３  とバス電極２０４  によって構成されている。また、Ｙ  電極も同様に、透明電極２０５  とバス電極２０６  によって構成されている。透明電極２０３  及び２０５  は、蛍光体からの反射光を透過させる役割があるため、ＩＴＯ  （酸化インジウムを主成分とする透明の導体膜）等により形成される。また、バス電極２０４，２０６，２０８  は、電極抵抗による電圧降下を防ぐため、低抵抗にする必要があり、クロム（Ｃｒ）や銅（Ｃｕ）により形成される。このように形成されたＸ  電極とＹ  電極を誘電体層２０９  で被覆し、さらに、放電面には保護膜２１０  として酸化マグネシウム（ＭｇＯ  ）膜を形成する。また、前記の前面ガラス基板２０１  と対向する背面ガラス基板２０２  には、アドレス電極２１１  を、維持電極であるＸ  電極およびＹ  電極と直行するように形成する。
【０００５】
また、図３  は、図１  のＰＤＰ  のＸ  電極１０１  と平行な方向に沿った概略的な断面図である。アドレス電極３０７  、３０８  、３０９  間には、障壁３１０  、３１１  、３１２  、３１３  を形成し、その障壁の間には、赤、緑、青の発光特性を持つ蛍光体２１２  を形成し、アドレス電極を覆う。
前面ガラス基板３０１  と背面ガラス基板３０２  は、障壁（３１０から３１３  ）の先端と、酸化マグネシウム（ＭｇＯ  ）膜３０６  が密着するように、組み立てられる。
【０００６】
図４  は従来の各色蛍光体セルの表示電極に関する平面図である。Ｘ  電極１  及びＹ  電極１  は表示電極対を構成し、Ｘ  電極１  はバス電極４０１  と透明電極４０２  により、Ｙ  電極１  は、バス電極４０３  と透明電極４０４  より構成される。Ｘ  電極１  とＹ  電極１  に挟まれた部分のスリット４１３  において、維持放電が行われ、この維持放電が行われるスリットを正スリットと呼ぶ。Ｘ  電極２  、Ｙ  電極２  についても同様である。一方、Ｙ  電極１  とＸ  電極２  に挟まれた部分のスリット４１４  は、維持放電を行わない。この維持放電を行わないスリットを逆スリットと呼ぶ。各表示電極と交差する障壁４０９  と４１０  に挟まれた部分には、赤色（Ｒ）の蛍光体が配置されており、この部分の前記正スリットに維持放電が起こると赤色に発光する。障壁４１０  と４１１  により挟まれた部分は緑色（Ｇ）  の蛍光体が配置されており同様に緑色に発色し、障壁４１１  と４１２  により挟まれた部分は青色（Ｂ）  の蛍光体が配置されており同様に青色に発色する。アドレス電極は、本実施例においては図示していないが、各障壁に平行に、配置されている。図５  は表示電極面積と放電電流と輝度の関係図である。図５  （ａ）  は表示電極面積と放電電流の関係図を示す。このように赤色、緑色、青色の各蛍光体セルの表示電極の幅が同じ幅である場合は実線５０１  に示すように、表示電極面積によらず赤色、緑色、青色の各蛍光体セル部の放電電流は、同じ値となる。この結果、各色の蛍光体を同じ強さの放電で生じる等量の紫外線で励起することとなる。
【０００７】
【発明が解決しようとする課題】
しかしながら、上述した従来技術のＰＤＰ  においては、次のような問題がある。従来技術のカラー表示用ＰＤＰ  の技術課題の１  つとして輝度の向上がある。また、赤、緑、青の各蛍光体の発光効率と最高輝度は、実際には同一ではないため同じ強さの放電で生じる等量の紫外線で励起した場合、特定の色の輝度が低くなり、白色の色温度が低くなって表示品質の低下を招くという問題がある。
【０００８】
例えば、図５  （ｂ）  は表示電極面積と輝度の関係図である。赤色、緑色、青色の各蛍光体セルの表示電極の幅が同じ幅である場合には、上述したように各色の蛍光体を同じ強さの放電で生じる等量の紫外線で励起することとなり、この時の輝度は、青色の場合は実線５１１  、赤色の場合は実線５１２  、緑色の場合は実線５１３  に示すように、各色によって異なり、青色の場合が最も低くなる。この結果、従来技術のＰＤＰ  において、白色の色温度が低いという問題がある。
【０００９】
本発明は、上記の点に鑑みてなされたものであり、上述の問題点を解消し、  白色の色温度を上げることのできるプラズマディスプレイパネルを提供することを目的とする。
【００１０】
【課題を解決するための手段】
上記目的を達成するために、本発明は次のように構成される。
請求項１は、異なる発光色に対応した３種類の蛍光体と前記３種類の蛍光体を分離する障壁と前記各蛍光体を発色させるために面放電を行う表示電極対を配置したプラズマディスプレイパネルにおいて、
前記表示電極対を構成する第１及び第２の電極は、細い幅の突出部とその先端に太い幅の突出部を備え、
前記蛍光体の種類に応じて、前記蛍光体が配置されている放電空間を挟む障壁により規定される放電セル部の前記表示電極対の離間距離及び電極面積が異なることを特徴とする。
【００１１】
請求項1 によれば、蛍光体の種類に応じて、前記蛍光体が配置されている放電空間を挟む障壁により規定される放電セル部の輝度をあげることができるので、三原色の発光輝度を従来よりも近づけることができ、白色の色温度を上げることのできるプラズマディスプレイパネルを得ることができる。
請求項２は、前記蛍光体のうち、発色光の輝度が低い蛍光体が配置されている放電空間を挟む障壁により規定される放電セル部の前記表示電極対の電極面積が、前記発光色の輝度が低い蛍光体とは異なる蛍光体が配置されている放電空間を挟む障壁により規定される放電セル部の前記表示電極対の電極面積に比べて、大きいことを特徴とする。
【００１２】
請求項２によれば、蛍光体のうち、発色光の輝度が低い蛍光体が配置されている放電空間を挟む障壁により規定される放電セル部の輝度をあげることができるので、三原色の発光輝度を従来よりも近づけることができ、白色の色温度を上げることのできるプラズマディスプレイパネルを得ることができる。
請求項3 は、赤色を発光する蛍光体が配置されている放電セル部における前記表示電極対の電極面積と緑色を発光する蛍光体が配置されている放電セル部における前記表示電極対の電極面積とが等しく、青色を発光する蛍光体が配置されている放電セル部における前記表示電極対の電極面積が他のものより大きいことを特徴とする。
【００１３】
請求項3 によれば、青色を発光する蛍光体が配置されている放電セル部の輝度をあげることができるので、三原色の発光輝度を従来よりも近づけることができ、白色の色温度を上げることのできるプラズマディスプレイパネルを得ることができる。
請求項４は、赤色を発光する蛍光体が配置されている放電セル部における前記表示電極対の電極面積より、緑色を発光する蛍光体が配置されている放電セル部における前記表示電極対の電極面積が大きく、緑色を発光する蛍光体が配置されている放電セル部における前記表示電極対の電極面積より、青色を発光する蛍光体が配置されている放電セル部における前記表示電極対の電極面積が大きいことを特徴とする。
【００１４】
請求項４ によれば、赤色よりも緑色の、そして、緑色よりも青色を発光する蛍光体が配置されている放電セル部の輝度をあげることができるので、三原色の発光輝度を従来よりも近づけることができ、白色の色温度を上げることのできるプラズマディスプレイパネルを得ることができる。
請求項５は、前記細い幅の突出部と太い幅の突出部が、前記第１及び第２の電極のそれぞれの両側に設けられてなることを特徴とする。
【００１５】
請求項５によれば、前記細い幅の突出部と太い幅の突出部を、前記第１及び第２の電極のそれぞれの両側に設けることができるので、三原色の発光輝度を従来よりも近づけることができ、白色の色温度を上げることのできるプラズマディスプレイパネルを得ることができる。
【００３１】
【発明の実施の形態】
以下、本発明の実施の形態を図面に基づいて詳細に説明する。まず、本発明の原理について説明する。図６  は本発明の原理について説明したもので、（ａ）  はＰＤＰ  の断面図，（ｂ）は各色電極の放電電流を示す図、（ｃ）  は色度図である。図６（ａ）は図１  のＰＤＰ  のＸ  電極１０１  と平行な方向に沿った概略的な断面図である。アドレス電極６０７  、６０８  、６０９  間には、障壁６１０  、６１１  、６１２  、６１３  を形成し、その障壁の間には、赤、緑、青の発光特性を持つ蛍光体６１４  、６１５  、６１６  を形成し、アドレス電極を覆う。前面ガラス基板６０１  と背面ガラス基板６０２  は、障壁（６１０から６１３  ）の先端と、酸化マグネシウム（ＭｇＯ  ）膜３０６  が密着するように、組み立てられる。図６（ａ）において、放電空間に示す矢印の太さは維持放電電流の大きさを表し、矢印の太さが太いほど電流値は大である。従来は、赤色電極、緑色電極、青色電極の放電電流値を等しくして放電を行っていたが、本発明により、赤色電極、緑色電極、青色電極の各色の放電電流値を図６（ｂ）に示すように、赤色は従来より小、緑色は同じ、青色は従来より大というように、各色で変えるようにした。これによって、図６（ｃ）に示すように、白色の色温度が６２００Ｋ  であったのに対し、白色の色温度を９０００Ｋ  になるようにした。以上、本発明により、各色蛍光体の配置された電極の放電電流値を変えることにより、白色の色温度を上げることができる。
【００３２】
次に、本発明の第１  実施例を説明する。図７  は本発明の、第１  実施例におけるＰＤＰ  の平面図である。本発明では図７  に示すように正スリット７１３  、７１５  側の透明電極７０２  、７０４  と透明電極７０６  、７０８  の間の離間距離を一定としたまま、の透明電極７０２  、７０４  、７０６  と７０８  の青色の蛍光体セル部分（以後青色電極とする）の面積を、逆スリット７１４  側に、透明電極７０２  、７０４  、７０６  と７０８  の赤色及び緑色の蛍光体セル部分（以後赤色電極、緑色電極とする）の面積の２  倍とした。この時には、図５  （ａ）  の青色電極を２  倍にした場合の実線５０３  に示すように放電電流が大きくなり、図５（ｂ）の青色電極を２  倍にした場合の実線５１５  に示すように青色の輝度を上げることができる。このように、青色の輝度を、赤色と緑色に対して、相対的に上げることができるので、白色の色温度を上げることができる。なお、本実施例においては、青色電極の面積を、赤色電極及び緑色電極の面積の  ２倍とした例について説明したが、２  倍には限らず他の大きさに拡大しても同様の効果を得ることができる。
【００３３】
次に、本発明の第２  実施例について説明する。図８  は本発明の第２  実施例におけるＰＤＰ  の電極形状とその放電電流を示す図である。本実施例では、正スリット８１３  、８１５  において放電を行うものとする。各色の蛍光体セル部分において正スリット８１３  、８１５  側の透明電極８０２  と８０４  及び８０６  、８０８  の間の離間距離を一定としたまま、各色の蛍光体セル毎に逆スリット８１４  側に、透明電極８０２  、８０４  、８０６  、８０８  の青色電極、緑色電極の面積を拡大したものである。本実施例では特に、緑色電極よりも更に青色電極の面積を拡大したものである。この場合、逆スリット８１４  の距離が狭すぎると、逆スリット８１４  を介した隣接セルの放電に影響を与えるので、正スリット８１３  、８１５  の放電が安定に動作する範囲で、逆スリット８１４  側へ延在する距離を決定する。図８  （ｂ）  は各色電極の放電電流波形である。従来は、赤色電極、緑色電極、青色電極の放電電流値を等しくして放電を行っていたが、本発明により、各色の電極面積を上記のように変えて赤色電極、緑色電極、青色電極の各色の放電電流値を図８（ｂ）に示すように各色で変えるようにした。このように、各色の蛍光体セルの透明電極の面積を変えることにより、各色の蛍光体セルの放電電流値が変わり各色の蛍光体セルの輝度を、相対的に調整することができるので、白色の色温度を上げることができる。
【００３４】
次に、本発明の第３  実施例について説明する。図９  は本発明の第３  実施例におけるＰＤＰ  の平面図である。各色の蛍光体セル部分において逆スリット９１４  の離間距離を一定としたまま、各色の蛍光体セル毎に正スリット９１３  、９１５  側に、透明電極９０２  、９０４  、９０６  、９０８  を延在させたものである。本実施例では特に、緑色電極よりも更に青色電極の面積を拡大したものである。この場合、透明電極９０２  、９０４  、９０６  、９０８  の赤色電極及び緑色電極及び青色電極（以下各色電極とする）の正スリット９１３  、９１５  の離間距離に差があると各色電極の正スリット９１３  、９１５  の放電開始電圧に差がでるため、各色電極の正スリット９１３  、９１５  の放電が安定に動作する範囲で、正スリット９１３  、９１５  側へ延在する距離を決定する。このように、各色の蛍光体セルの透明電極９０２  、９０４  、９０６  、９０８  の面積を変えることにより、各色の蛍光体セルの輝度を、相対的に調整することができるので、白色の色温度を上げることができる。
【００３５】
次に、本発明の第４  実施例について説明する。図１０は本発明の第４  実施例におけるＰＤＰ  の平面図である。本実施例においては、隣接するスリット１０１３、１０１４、１０１５において交互に放電を行うものである。即ち、Ｘ  電極１  を構成する透明電極１００２とＹ  電極１  を構成する透明電極１００４の間のスリット１０１３と、Ｘ  電極２  を構成する透明電極１００６とＹ  電極２  を構成する透明電極１００８の間のスリット１０１５においてある時点で同時に放電を行い、次に別の時点においてＹ  電極１  を構成する透明電極１００４とＸ  電極２  を構成する透明電極１００６の間のスリット１０１４において放電を行う。この  ２つの放電を時間的に交互に行うものである。本実施例は、各色の蛍光体セル部分において、各色の蛍光体セル毎に上記の時間的に交互に放電を行う双方のスリット側に、透明電極１００２、１００４、１００６、１００８を延在させたものである。本実施例では特に、緑色電極よりも更に青色電極の面積を拡大したものである。この場合、透明電極１００２、１００４、１００６、１００８の各色のスリット１０１３、１０１４、１０１５の離間距離に差があると透明電極１００２、１００４、１００６、１００８の各色電極のスリット１０１３、１０１４、１０１５の放電開始電圧に差がでるため、透明電極１００２、１００４、１００６、１００８の各色電極のスリット１０１３、１０１４、１０１５の放電が安定に動作する範囲で、双方のスリット側へ延在する距離を決定する。このように、各色の蛍光体セルの透明電極１００２、１００４、１００６、１００８の面積を変えることにより、上記のような双方のスリットで放電を行うＰＤＰ  においても、各色の蛍光体セルの輝度を、相対的に調整することができるので、白色の色温度を上げることができる。
【００３６】
次に、本発明の第５  実施例について説明する。図１１は本発明の第５  実施例におけるＰＤＰ  の平面図である。本実施例においては、透明電極１１０２、１１０４、１１０６，１１０８  は細い幅の突出部とその先端に太い幅の突出部とよりなるＴ  字部を、放電を行う表示電極対である正スリット１１１３、１１１５側に持つものである。各色の蛍光体セル部分において上記Ｔ  字部が対向する正スリット１１１３及び１１１５の離間距離を一定としたまま、各色の蛍光体セル毎に逆スリット１１１４側に、透明電極１１０２、１１０４、１１０６、１１０８の青色電極、緑色電極の面積を拡大したものである。本実施例では特に、緑色電極よりも更に青色電極の面積を拡大したものである。この場合、逆スリット１１１４の距離が狭すぎると、逆スリット１１１４を介した隣接セルの放電に影響を与えるので、正スリット１１１３、１１１５の放電が安定に動作する範囲で、逆スリット１１１４側へ延在する距離を決定する。このように、各色の蛍光体セルの透明電極１１０２、１１０４、１１０６，１１０８  の面積を変えることにより、上記のようなＴ字部の正スリット１１１３、１１１５で放電を行うＰＤＰ  においても、各色の蛍光体セルの輝度を、相対的に調整することができるので、白色の色温度を上げることができる。
【００３７】
次に、本発明の第６  実施例について説明する。図１２は本発明の第６  実施例におけるＰＤＰ  の平面図である。本実施例においては、透明電極１２０２、１２０４、１２０６、１２８  にＴ  字部を、放電を行う表示電極対である正スリット１２１３、１２１５側に持つものである。各色の蛍光体セル部分において逆スリット１２１４の離間距離を一定としたまま、各色の蛍光体セル毎に正スリット１２１３、１２１５側に、Ｔ字部の形状を変えずに、透明電極１２０２、１２０４、１２０６、１２８  を延在させたものである。本実施例では特に、緑色電極よりも更に青色電極の面積を拡大したものである。この場合、透明電極１２０２、１２０４、１２０６、１２８  の各色電極の正スリット１２１３、１２１５の離間距離に差があると透明電極１２０２、１２０４、１２０６、１２０８の各色電極の正スリット１２１３、１２１５の放電開始電圧に差がでるため、各色の透明電極１２０２、１２０４、１２０６、１２８  の正スリット１２１３、１２１５の放電が安定に動作する範囲で、正スリット１２１３、１２１５側へ延在する距離を決定する。このように、各色の蛍光体セルの透明電極１２０２、１２０４、１２０６、１２８  の面積を変えることにより、上記のようなＴ字部のスリットで放電を行うＰＤＰ  においても、各色の蛍光体セルの輝度を、相対的に調整することができるので、白色の色温度を上げることができる。
【００３８】
なお、本実施例においては、赤色、緑色、青色のＴ  字部の離間距離も可変しているため放電開始電圧が変わるが、Ｔ  字部の離間距離を一定として放電開始電圧を同一となるように構成しても良い。
次に、本発明の第７  実施例について説明する。図１３は本発明の第７  実施例におけるＰＤＰ  の平面図である。本実施例においては、透明電極１３０２、１３０４、１３０６、１３にＴ  字部を、放電を行う表示電極対である正スリット１３１３、１３１５側に持つものである。各色の蛍光体セル部分において逆スリット１３１４の離間距離を一定としたまま、各色の蛍光体セル毎に正スリット１３１３、１３１５側に、細い幅の突出部を延長してＴ字部の形状のみを延在させることにより、透明電極１３０２，１３０４  、１３０６、１３０８の面積を変化させたものである。本実施例では特に、緑色電極よりも更に青色電極の面積を拡大したものである。この場合、透明電極１３０２，１３０４  、１３０６、１３０８の各色電極の正スリットの離間距離に差があると各色の透明電極１３０２，１３０４  、１３０６、１３０８の正スリットの放電開始電圧に差がでるため、透明電極の正スリット１３０２，１３０４  、１３０６、１３０８の各色電極の放電が安定に動作する範囲で、正スリット１３０２，１３０４  、１３０６、１３０８側へ延在する距離を決定する。このように、各色の蛍光体セルの透明電極１３０２，１３０４  、１３０６、１３０８の面積を変えることにより、上記のようなＴ字部のスリットで放電を行うＰＤＰ  においても、各色の蛍光体セルの輝度を、相対的に調整することができるので、白色の色温度を上げることができる。
【００３９】
次に、本発明の第８  実施例について説明する。図１４は本発明の第８  実施例におけるＰＤＰ  の平面図である。本実施例においては、透明電極１４０２、１４０４、１４０６、１４０８にＴ  字部を、放電を行う表示電極対である正スリット１４１３、１４１５側に持つものである。各色の蛍光体セル部分において逆スリット１４１４及び正スリット１４１３の離間距離を一定としたまま、各色の蛍光体セル毎に、太い幅の突出部の形状の幅を広げることにより、透明電極１４０２、１４０４、１４０６、１４０８の面積を拡大したものである。本実施例では特に、緑色電極よりも更に青色電極の面積を拡大したものである。このように、各色の蛍光体セルの透明電極１４０２、１４０４、１４０６、１４０８の面積を変えることにより、上記のようなＴ字部のスリットで放電を行うＰＤＰ  においても、各色の蛍光体セルの輝度を、相対的に調整することができるので、白色の色温度を上げることができる。
【００４０】
次に、本発明の第９  実施例について説明する。図１５は本発明の第９  実施例におけるＰＤＰ  の平面図である。本実施例においては、隣接するスリット１５１３、１５１４、１５１５において交互に放電を行うもので、放電を行う透明電極１５０２、１５０４、１５０６、１５０８の各色セルに  ２つのＴ  字部をもつものである。即ち、Ｘ  電極１  を構成するＴ  字部の透明電極１５０２とＹ  電極１  を構成するＴ  字部の透明電極１５０４の間のスリット１５１３と、Ｘ  電極２  を構成するＴ  字部の透明電極１５０６とＹ  電極２  を構成するＴ  字部の透明電極１５０８の間のスリット１５１５において、ある時点で同時に放電を行い、次に別の時点においてＹ  電極１  を構成するＴ  字部の透明電極１５０４とＸ  電極２  を構成するＴ  字部の透明電極１５０６の間のスリット１５１４において放電を行う。この  ２つの放電を時間的に交互に行うものである。各色の蛍光体セル部分において、各色の蛍光体セル毎に  ２つのスリットの双方向に、細い幅の突出部を延長してＴ字部の形状のみを延在させることにより、透明電極１５０２、１５０４、１５０６、１５０８を延在させたものである。本実施例では特に、緑色電極よりも更に青色電極の面積を拡大したものである。この場合、透明電極１５０２、１５０４、１５０６、１５０８のスリット１５１３、１５１４、１５１５の各色のＴ  字部の離間距離に差があると各色のＴ  字部の透明電極１５０２、１５０４、１５０６、１５０８のスリット１５１３、１５１４、１５１５の放電開始電圧に差がでるため、透明電極１５０２、１５０４、１５０６、１５０８の各色のＴ  字部のスリット１５１３、１５１４、１５１５の放電が安定に動作する範囲で、双方のスリット側へ延在する距離を決定する。このように、各色の蛍光体セルのＴ  字部の透明電極１５０２、１５０４、１５０６、１５０８の面積を変えることにより、上記のようなＴ字部の双方のスリットで放電を行うＰＤＰ  においても、各色の蛍光体セルの輝度を、相対的に調整することができるので、白色の色温度を上げることができる。
【００４１】
次に、本発明の第１０実施例について説明する。図１６は本発明の第１０実施例におけるＰＤＰ  の平面図である。本実施例においては、透明電極１６０２、１６０４、１６０６、１６０８に、矩形突出部の放電を行う表示電極対である正スリット１６１３、１６１５側に持つものである。各色の蛍光体セル部分において上記矩形突出部が対向する正スリット１６１３及び１６１５の離間距離を一定としたまま、矩形突出部の形状を変えずに、各色の蛍光体セル毎に逆スリット１６１４側に、透明電極１６０２、１６０４、１６０６、１６０８の青色電極、緑色電極の面積を拡大したものである。本実施例では特に、緑色電極よりも更に青色電極の面積を拡大したものである。この場合、逆スリット１６１４の距離が狭すぎると、逆スリット１６１４を介した隣接セルの放電に影響を与えるので、正スリット１６１３、１６１５の放電が安定に動作する範囲で、逆スリット１６１４側へ伸張する距離を決定する。このように、各色の蛍光体セルの透明電極の面積を変えることにより、上記のような矩形突出部の正スリット１６１３、１６１５で放電を行うＰＤＰ  においても、各色の蛍光体セルの輝度を、相対的に調整することができるので、白色の色温度を上げることができる。
【００４２】
次に、本発明の第１１実施例について説明する。図１７は本発明の第１１実施例におけるＰＤＰ  の平面図である。本実施例においては、透明電極１７０２、１７０４、１７０６、１７０８に、矩形突出部を放電を行う表示電極対である正スリット１７１３、１７１５側に持つものである。各色の蛍光体セル部分において上記矩形突出部の対向する正スリット１７１３及び１７１５の離間距離を一定としたまま、各色の蛍光体セル毎に正スリット１７１３、１７１５側に、透明電極１７０２、１７０４、１７０６、１７０８の青色電極、緑色電極の面積を拡大したものである。本実施例では特に、緑色電極よりも更に青色電極の面積を拡大したものである。このように、各色の蛍光体セルの透明電極１７０２、１７０４、１７０６、１７０８の面積を変えることにより、上記のような矩形突出部の正スリット１７１３、１７１５で放電を行うＰＤＰ  においても、各色の蛍光体セルの輝度を、相対的に調整することができるので、白色の色温度を上げることができる。
【００４３】
次に、本発明の第１２実施例について説明する。図１８は本発明の第１２実施例におけるＰＤＰ  の平面図である。本実施例においては、隣接するスリット１８１３、１８１４、１８１５において交互に放電を行うもので、放電を行う透明電極１８０２、１８０４、１８０６、１８０８に  ２つのＴ  字部をもつものである。即ち、Ｘ  電極１  を構成するＴ  字部の透明電極１８０２とＹ  電極１  を構成するＴ  字部の透明電極１８０４の間のスリット１８１３と、Ｘ  電極２  を構成するＴ  字部の透明電極１８０６とＹ  電極２  を構成するＴ  字部の透明電極１８０８の間のスリット１８１５においてある時点で同時に放電を行い、次に別の時点においてＹ  電極１  を構成するＴ  字部の透明電極１８０４とＸ  電極２  を構成するＴ  字部の透明電極１５０６の間のスリット１８１４において放電を行う。この  ２つの放電を時間的に交互に行うものである。各色の蛍光体セル部分において、スリット１８１３と１８１５及び、スリット１８１４の離間距離を一定としたまま、各色の蛍光体セル毎に、Ｔ字部の形状の幅を広げることにより、透明電極１８０２、１８０４、１８０６、１８０８の面積を拡大したものである。本実施例では特に、緑色電極よりも更に青色電極の面積を拡大したものである。このように、各色の蛍光体セルの透明電極１８０２、１８０４、１８０６、１８０８の面積を変えることにより、上記のようなＴ字部のスリットで放電を行うＰＤＰ  においても、各色の蛍光体セルの輝度を、相対的に調整することができるので、白色の色温度を上げることができる。
【００４４】
次に、本発明の第１３実施例について説明する。図１９は本発明の第１３実施例におけるＰＤＰ  の平面図である。本実施例においては、隣接するスリット１９１３、１９１４、１９１５において交互に放電を行うもので、放電を行う透明電極１９０２、１９０４、１９０６、１９０８に  ２つの矩形突出部をもつものである。即ち、Ｘ  電極１  を構成する矩形突出部の透明電極１９０２とＹ  電極１  を構成する矩形突出部の透明電極１９０４の間のスリット１９１３と、Ｘ  電極２  を構成する矩形突出部の透明電極１９０６とＹ  電極２  を構成する矩形突出部の透明電極１９０８の間のスリット１９１５においてある時点で同時に放電を行い、次に別の時点においてＹ  電極１  を構成する矩形突出部の透明電極１９０４とＸ  電極２  を構成する矩形突出部の透明電極１９０６の間のスリット１９１４において放電を行う。この  ２つの放電を時間的に交互に行うものである。
【００４５】
各色の蛍光体セル部分において、スリット１９１３と１９１５及び、スリット１９１４の離間距離を一定としたまま、各色の蛍光体セル毎に  ２つのスリットの双方向に、透明電極１９０２、１９０４、１９０６、１９０８の面積を拡大したものである。本実施例では特に、緑色電極よりも更に青色電極の面積を拡大したものである。このように、各色の蛍光体セルの矩形突出部の透明電極１９０２、１９０４、１９０６、１９０８の面積を変えることにより、上記のような矩形突出部の双方のスリットで放電を行うＰＤＰ  においても、各色の蛍光体セルの輝度を、相対的に調整することができるので、白色の色温度を上げることができる。
【００４６】
以上で説明した実施例においては、青色又は青色と緑色の蛍光体の発光輝度向上のために青色又は青色と緑色の蛍光体のセルの表示電極を相対的に拡大したが、特定の白色の色温度を作り出すような場合には、これに限らず各色のセルの表示電極面積を変化させても良い。また、以上で説明した実施例においては、ＰＤＰ  として、カラー表示用のＡＣ駆動型ＰＤＰ  を例に挙げて説明したが、本発明はこれに限定されるものではなく、カラー表示用であれば、あらゆる形式のＰＤＰ  に適用することができる。更に、本発明による表示電極は、従来のＰＤＰ  の製造工程において、電極を形成するためのマスクの形状を変更するだけで形成でき、特別な工程の付加は必要ない。
【００４７】
【発明の効果】
以上詳細に説明したように、本発明によれば、発光色の輝度が低い蛍光体が配置されている放電空間を挟む障壁により規定される放電セル部の輝度をあげることができるので、白色の色温度を上げることのできるプラズマディスプレイパネルを得ることができるという効果がある。
【００４８】
また、本発明によれば、従来のＰＤＰ  の製造工程において、電極を形成するためのマスクを変更することを行うことにより、発光色の輝度が低い蛍光体が配置されている放電空間を挟む障壁により規定される放電セル部の輝度をあげることができるので、製造が容易であるという効果がある。
【図面の簡単な説明】
【図１】従来の３  電極・面放電・ＡＣ型ＰＤＰ  の概略的平面図である。
【図２】従来の３  電極・面放電・ＡＣ型ＰＤＰ  の概略的断面図である。
【図３】従来の３  電極・面放電・ＡＣ型ＰＤＰ  の概略的断面図である。
【図４】従来の各色蛍光体セルの表示電極に関する平面図である。
【図５】表示電極面積と放電電流と輝度の関係図である。
【図６】本発明の原理を説明するための図である。
【図７】本発明の第１  実施例におけるＰＤＰ  の平面図である。
【図８】本発明の第２  実施例におけるＰＤＰ  の平面図である。
【図９】本発明の第３  実施例におけるＰＤＰ  の平面図である。
【図１０】本発明の第４  実施例におけるＰＤＰ  の平面図である。
【図１１】本発明の第５  実施例におけるＰＤＰ  の平面図である。
【図１２】本発明の第６  実施例におけるＰＤＰ  の平面図である。
【図１３】本発明の第７  実施例におけるＰＤＰ  の平面図である。
【図１４】本発明の第８  実施例におけるＰＤＰ  の平面図である。
【図１５】本発明の第９  実施例におけるＰＤＰ  の平面図である。
【図１６】本発明の第１０実施例におけるＰＤＰ  の平面図である。
【図１７】本発明の第１１実施例におけるＰＤＰ  の平面図である。
【図１８】本発明の第１２実施例におけるＰＤＰ  の平面図である。
【図１９】本発明の第１３実施例におけるＰＤＰ  の平面図である。
【符号の説明】
７０２  、７０４  、７０６  、  ８０２、８０４  、８０６  、９０２  、９０４  、９０６  、１００２、１００４、１００６  、１１０２、１１０４、１１０６、１２０２、１２０４、１２０６、１３０２、１３０４、１３０６、１４０２、１４０４、１４０６、１５０２、１５０４、１５０６、１６０２、１６０４、１６０６、１７０２、１７０４、１７０６、１８０２、１８０４、１８０６透明電極
７０９  〜７１２  、８０９  〜８１２  、９０９  〜９１２  、１００９〜１０１２、１１０９〜１１１２、１２０９〜１２１２、１３０９〜１３１２、１４０９〜１４１２、１５０９〜１５１２、１６０９〜１６１２、１７０９〜１７１２、１８０９〜１８１２  障壁
７１３  、８１３  、９１３  、１１１３、１２１３、１３１３、１４１３、１６１３、１７１３  正スリット
７１４  、８１４  、９１４  、１１１４、１２１４、１３１４、１４１４、１６１４、１７１４  逆スリット
１０１３〜１０１５、１５１３〜１５１５、１８１３〜１８１５、１９１３〜１９１５  スリット
【図１】
0003589892.tif 000002
【図２】
0003589892.tif 000003
【図３】
0003589892.tif 000004
【図４】
0003589892.tif 000005
【図５】
0003589892.tif 000006
【図６】
0003589892.tif 000007
【図７】
0003589892.tif 000008
【図８】
0003589892.tif 000009
【図９】
0003589892.tif 000010
【図１０】
0003589892.tif 000011
【図１１】
0003589892.tif 000012
【図１２】
0003589892.tif 000013
【図１３】
0003589892.tif 000014
【図１４】
0003589892.tif 000015
【図１５】
0003589892.tif 000016
【図１６】
0003589892.tif 000017
【図１７】
0003589892.tif 000018
【図１８】
0003589892.tif 000019
【図１９】
0003589892.tif 000020